Podtech/llm-jp-corpus-v4-ja_patent huggingface dataset:
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
遠隔操作手術システムのための患者側カートであって、
手術器具を保持する少なくとも１つのマニピュレータ部分と、
駆動制御システムと、
操縦インターフェースとを含み、
該操縦インターフェースは、
当該患者側カートを移動させるために使用者によって加えられる回転する力、前方の力、及び後方の力を感知するよう位置付けられる、少なくとも１つのセンサと、
前記操縦インターフェースを当該患者側カートと連結させる連結機構と、
コア部分と、
カバー部分とを含み、
前記カバー部分は、前記コア部分に対して動き、
前記少なくとも１つのセンサは、前記駆動制御システムと信号通信する、
患者側カート。
【請求項２】
前記少なくとも１つのセンサは、前記コア部分と前記カバー部分とを機械的に接続する、請求項１に記載の患者側カート。
【請求項３】
前記操縦インターフェースは、前記センサを前記カバー部分に接続するバネを更に含む、請求項１に記載の患者側カート。
【請求項４】
前記操縦インターフェースは、前記コア部分と前記カバー部分との間の相互の動きを制限するように構成される機械的ストッパを更に含む、請求項１に記載の患者側カート。
【請求項５】
前記操縦インターフェースは、作動可能な接点スイッチを更に含み、該接点スイッチは、前記操縦インターフェースに対して力が加えられた後の当該患者側カートの移動を防止する第１の状態と、前記操縦インターフェースに対して力が加えられた後の当該患者側カートの移動を許容する第２の状態とを有する、請求項１に記載の患者側カート。
【請求項６】
前記操縦インターフェースは、コア部分と、カバー部分とを含み、該カバー部分は、トリガを含み、
該トリガは、使用者が該トリガを押すときに当該患者側カートの移動を許容するよう、前記第２の状態と係合するよう接点スイッチと係合するように構成される、
請求項５に記載の患者側カート。
【請求項７】
複数のホイールと、前記駆動制御システムに連結される駆動システムとを更に含み、該駆動システムは、前記操縦インターフェースの前記センサから前記駆動制御システムに提供される信号に基づき前記複数のホイールのうちの少なくとも１つを駆動するように構成される、請求項１に記載の患者側カート。
【請求項８】
前記操縦インターフェースは、前記操縦インターフェースの左部分に配置される第１のセンサと、前記操縦インターフェースの前記左部分と反対の前記操縦インターフェースの右部分に配置される第２のセンサとを含む、請求項１に記載の患者側カート。
【請求項９】
前記操縦インターフェースは、当該患者側カートから取り外し可能である、請求項１に記載の患者側カート。
【請求項１０】
前記操縦インターフェースは、他の操縦インターフェースと交換可能である、請求項１に記載の患者側カート。
【請求項１１】
蹴板を更に含み、該蹴板は、使用者が蹴板を叩くときに当該患者側カートへの電力供給を停止する信号を発するように構成される、請求項１に記載の患者側カート。
【請求項１２】
前記操縦インターフェースは、前記少なくとも１つのセンサのキャリブレーションと関連付けられるキャリブレーションデータを格納するように構成されるキャリブレーションデータ記憶装置を更に含み、該キャリブレーションデータ記憶装置は、当該患者側カートの前記駆動制御システムと信号通信して配置される、請求項１に記載の患者側カート。
【請求項１３】
前記蹴板及び前記操縦インターフェースは、両方とも、当該患者側カートの同じ側に配置される、請求項１１に記載の患者側カート。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
第１外面および対向する第１内面を有する第１導電性電極；
前記第１導電性電極の第１内面上の第１非導電性コーティング；
前記第１導電性電極との間に配置される前記第１非導電性コーティング上の誘電体材料；および
前記第２導電性電極と前記第１非導電性コーティングとの間に配置される前記誘電体材料に隣接する第２導電性電極
を備えるキャパシタであって、
前記キャパシタが第１導電性電極から第２導電性電極までの全体の厚さを有し、前記第１非導電性コーティングが前記全体の厚さの１０％未満の厚さを有する、キャパシタ。
【請求項２】
前記第２導電性電極と前記誘電体材料との間に配置される前記第２導電性電極上の、前記全体の厚さの１０％未満の厚さを有する第２非導電性コーティングをさらに備える、請求項１に記載のキャパシタ。
【請求項３】
前記誘電体材料が変動粘度誘電体材料であり、前記変動粘度が外部刺激に応答して粘度の変化を示す、請求項１に記載のキャパシタ。
【請求項４】
前記誘電体材料が外部刺激を印加すると粘度を上昇させ、外部刺激を除去すると粘度を低下させる、請求項３に記載のキャパシタ。
【請求項５】
前記誘電体材料が外部刺激を印加すると粘度を低下させ、外部刺激を除去すると粘度を上昇させる、請求項３に記載のキャパシタ。
【請求項６】
前記誘電体がエネルギーをある速度で放出し、前記速度が誘電体の粘度が低下すると上昇する、請求項３に記載のキャパシタ。
【請求項７】
前記誘電体がエネルギーをある速度で放出し、前記速度が誘電体の粘度が上昇すると低下する、請求項３に記載のキャパシタ。
【請求項８】
前記第１非導電性コーティングが縮重合キシレンモノマーを含む、請求項１に記載のキャパシタ。
【請求項９】
前記第１非導電性コーティングがパリレンポリマーおよびプラレンポリマーから選択されるポリマーを含む、請求項１に記載のキャパシタ。
【請求項１０】
前記第１非導電性コーティングが金属酸化物を含む、請求項１に記載のキャパシタ。
【請求項１１】
前記誘電体材料が粘度低減剤を含み、前記誘電体材料がある粘度を有し、前記誘電体材料が外部刺激に応答して第１粘度から第２粘度までの粘度の上昇を示し、外部刺激の除去により第２粘度から第１粘度までの粘度の低下を示す、請求項１に記載のキャパシタ。
【請求項１２】
前記誘電体材料が粘度上昇剤を含み、前記誘電体材料がある粘度を有し、前記誘電体材料が外部刺激に応答して第１粘度から第２粘度までの粘度の低下を示し、外部刺激の除去により第２粘度から第１粘度までの粘度の上昇を示す、請求項１に記載のキャパシタ。
【請求項１３】
前記誘電体材料が導電性ポリマー、非導電性ポリマー、無機金属酸化物、金属酸化物混合物、バイオポリマーから選択される誘電体物質を含む、請求項１に記載のキャパシタ。
【請求項１４】
前記誘電体材料が電気粘弾性誘電体物質、磁気粘弾性誘電体物質、および／またはビンガム塑性誘電体物質を含む、請求項１に記載のキャパシタ。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
動物の消化管内の内容物採取のための機器であって、少なくとも部分的に拡張可能な少なくとも１つの壁と、容器及び検体の前記機器内への吸引を支援するためのアクチュエータ手段とを含み、該機器は閉鎖タブによって閉鎖圧縮状態に保持され、前記閉鎖タブが所定の位置にないとき前記壁が前記アクチュエータ手段によって開放拡張状態へと移動可能であり、
前記アクチュエータ手段が、前記機器を、第１の容積を持つ第１の構造から第２の容積を持つ第２の構造へと変換するように配置され、
前記容器が最大５ｍｌの容積を保持できる検体収集チャンバーを備える、機器。
【請求項２】
前記容器が少なくとも１つの検体収集チャンバーを含む、請求項１に記載の機器。
【請求項３】
各検体収集チャンバーが外部開口部を形成する孔を有する、請求項２に記載の機器。
【請求項４】
前記アクチュエータ手段がバネ又は弾性部材を含む、請求項１から３のいずれか１項に記載の機器。
【請求項５】
前記閉鎖タブが外部コーティング、ｐＨセンサー又はスイッチを含む、請求項１から４のいずれか１項に記載の機器。
【請求項６】
前記拡張可能な壁が波型形状を有している、請求項１から５のいずれか１項に記載の機器。
【請求項７】
前記孔を閉鎖するための少なくとも１つの手段を備える、請求項４に記載の機器。
【請求項８】
前記容器が外部の拡張可能な部材である検体収集チャンバーを備える、請求項２から７のいずれか１項に記載の機器。
【請求項９】
前記容器が少なくとも１つの検体収集チャンバーを含み、該検体収集チャンバーが外部開口部を形成する孔を有し、該孔の長さ又は直径が２ｍｍから５ｍｍである、請求項１から８のいずれか１項に記載の機器。
【請求項１０】
前記機器の前記長さが、圧縮状態にあるとき５ｍｍ×１５ｍｍから１５ｍｍ×３０ｍｍであり、及び／又は開放拡張状態にあるとき５ｍｍ×３０ｍｍから１５ｍｍ×５０ｍｍである、請求項１から９のうちのいずれか１項に記載の機器。
【請求項１１】
動物の消化管から内容物を採取する方法であって、請求項１から１０のうちのいずれか１項に記載の機器を前記動物に経口的に投与するステップと、前記動物の糞便から前記機器を回収するステップとを有してなる方法。
【請求項１２】
カプセルが絶食時に、食物と一緒に、又は給餌後の期間に前記動物に投与される、請求項１１の方法。
【請求項１３】
前記動物が人間又はペット、例えばイヌ、ネコ、若しくはウマ又は家畜動物、例えばウシ、ヒツジ、若しくはニワトリである、請求項１１または１２に記載の方法。
【手続補正２】
【補正対象書類名】明細書
【補正対象項目名】００５７
【補正方法】変更
【補正の内容】
【００５７】
特定の実施形態では、外部コーティングは、例えば、セルロースアセタートフタラート、ステアリン酸グリセロール、パラフィン、エポキシ化合物又はポリ（メチル）アクリラート、例えばオイドラギット（登録商標）Ｌ、Ｓ又はＥのような材料から作製されてよい。好ましくは外部コーティングは「オイドラギット」Ｌ、Ｓ又はＥである。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
経時的に人の１つ以上の生理学的パラメータを感知して、前記人のストレス負荷の定量化を可能にするセンサと、
前記人への第三者の訪問の開始を示す訪問検出器と、
前記第三者の訪問の間の前記１つ以上の生理学的パラメータから、前記人の前記ストレス負荷を決定するプロセッサと、
前記ストレス負荷が所定のレベルを超える場合に、前記人の健康のために訪問が終了される必要があることを示す警告信号を発するシグナリングユニットと、
を含む、訪問継続時間制御システム。
【請求項２】
前記センサは、前記人の心拍数又は心拍数変動を感知する心拍数センサ、前記人の皮膚コンダクタンスを感知する皮膚コンダクタンスセンサ、前記人のＥＥＧを感知するＥＥＧセンサ、前記人の瞳孔拡張を感知する瞳孔センサ、及び、前記人の血圧を感知する血圧センサのうちの１つ以上を含む、請求項１に記載の訪問継続時間制御システム。
【請求項３】
前記プロセッサは、前記第三者の訪問の開始からの前記人の前記ストレス負荷を示す累積ストレス信号を決定する、請求項１に記載の訪問継続時間制御システム。
【請求項４】
前記プロセッサは、前記累積ストレス信号が所定のストレス閾値を超えるかどうかを決定し、前記所定のストレス閾値を超えている場合に、前記人の健康のために訪問が終了される必要があることを示す前記警告信号を発するように前記シグナリングユニットを制御する、請求項３に記載の訪問継続時間制御システム。
【請求項５】
前記センサは、経時的に前記人の皮膚コンダクタンスを感知する皮膚コンダクタンスセンサを含み、前記プロセッサは、経時的に感知された前記皮膚コンダクタンスを合計することによって、具体的には、経時的に感知された前記皮膚コンダクタンスの立ち上がりエッジの高さを合計することによって、前記累積ストレスを決定する、請求項３又は４に記載の訪問継続時間制御システム。
【請求項６】
前記センサは、経時的に前記人の心拍数又は心拍数変動を感知する心拍数センサを含み、前記プロセッサは、前記心拍数変動が所定の心拍数変動閾値内にある時間を合計することによって、前記累積ストレス信号を決定する、請求項３又は４に記載の訪問継続時間制御システム。
【請求項７】
前記センサは、経時的に前記人の皮膚コンダクタンスを感知する皮膚コンダクタンスセンサを含み、前記プロセッサは、感知された前記皮膚コンダクタンスから推定コルチゾールレベルトレースを決定し、前記推定コルチゾールレベルトレースから前記人の前記ストレス負荷を決定する、請求項１に記載の訪問継続時間制御システム。
【請求項８】
前記シグナリングユニットは、前記ストレス負荷が第１の所定のレベルを超える場合に、前記人の健康のために訪問が終了される必要があることを示す第１の警告信号を発する第１のシグナリング要素と、前記ストレス負荷が、前記第１の所定のレベルよりも高い第２の所定のレベルを超える場合に、又は、所定の継続時間が経過した場合に、前記人の健康のために訪問が終了される必要があることを示す第２の警告信号を発する第２のシグナリング要素と、を含む、請求項１に記載の訪問継続時間制御システム。
【請求項９】
前記訪問検出器は、前記人への前記第三者の訪問の開始を手動で入力するためのユーザインターフェースを含む、請求項１に記載の訪問継続時間制御システム。
【請求項１０】
前記訪問検出器は、前記人を訪れている第三者を自動的に検出する検出器を含む、請求項１に記載の訪問継続時間制御システム。
【請求項１１】
前記検出器は、前記人、前記人を訪れている前記第三者、及び／又は、前記人がいる場所において働いている若しくは連続的に存在している人を区別するためのカメラ及び識別ユニットを含む、請求項１０に記載の訪問継続時間制御システム。
【請求項１２】
前記訪問検出器は、前記人への前記第三者の訪問の終了を示し、前記プロセッサは、訪問の終了後の前記人の回復時間を推定する、請求項１０に記載の訪問継続時間制御システム。
【請求項１３】
着用可能である又は前記人の体に取り付け可能であるウェアラブルデバイスに組み込まれ、具体的には、リストバンド、ベルト、携帯電話機、時計又は宝石類に組み込まれる、請求項１に記載の訪問継続時間制御システム。
【請求項１４】
第三者の訪問の間の経時的な人の１つ以上の受信された生理学的パラメータから、人のストレス負荷を決定し、
前記ストレス負荷が所定のレベルを超える場合に、前記人の健康のために訪問が終了される必要があることを示す警告信号を発するようにシグナリングユニットを制御するプロセッサであって、前記人の前記１つ以上の生理学的パラメータは、前記人の前記ストレス負荷の定量化を可能にする、プロセッサを含む、処理デバイス。
【請求項１５】
第三者の訪問の間の経時的な人の１つ以上の受信された生理学的パラメータから、人のストレス負荷を決定するステップと、
前記ストレス負荷が所定のレベルを超える場合に、前記人の健康のために訪問が終了される必要があることを示す警告信号を発するようにシグナリングユニットを制御するステップと、
を含み、
前記人の前記１つ以上の生理学的パラメータは、前記人の前記ストレス負荷の定量化を可能にする、処理方法。
【請求項１６】
コンピュータ上で実行されると、請求項１５に記載の方法のステップを前記コンピュータに実行させるプログラムコード手段を含む、コンピュータプログラム。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
生体試料に由来する不均一細胞集団からの標的細胞亜集団の選択的富化のための方法であって、
前記標的細胞集団の成長を可能とするのに十分な条件下で前記不均一細胞集団をインキュベートする工程であって、前記条件は、陽圧条件及び／又は低酸素条件下で前記不均一細胞集団をインキュベートすることを含み、前記インキュベートが結果として前記標的細胞亜集団の選択的富化を生じる工程、を含む前記方法。
【請求項２】
前記標的細胞亜集団の前記メンバーの１又は複数の形態学的特徴及び／又は動態学的特性が表示される際に、前記標的細胞亜集団のメンバーを同定する工程を更に含み、前記１又は複数の形態学的特徴及び／又は動態学的特性がコロニー形成、増殖、非標的細胞の表面積と比べて大きな表面積、非標的細胞の基材に対する付着と比べて増加した基材への付着、急速な細胞分裂、及び多核細胞化からなる群から選択される、請求項１に記載の方法。
【請求項３】
前記標的細胞亜集団が初代細胞を含む、請求項１又は２に記載の方法。
【請求項４】
前記標的細胞亜集団が、循環腫瘍細胞（ＣＴＣｓ）、癌幹細胞（ＣＳＣｓ）、固形腫瘍に由来する細胞、造血幹細胞（ＨＳＣｓ）、初代神経細胞、胎児細胞、初代肝細胞、初代心筋細胞、血管内皮前駆細胞（ＥＰＣｓ）、及び上皮前駆細胞からなる群から選択される細胞を含む、請求項１〜３のいずれか一項に記載の方法。
【請求項５】
前記同定が抗体又はポリヌクレオチドマーカーの使用を含まない、請求項１〜４のいずれか一項に記載の方法。
【請求項６】
前記生体試料が体液、又はその派生物を含む、請求項１〜５のいずれか一項に記載の方法。
【請求項７】
前記生体試料が固体組織試料を含む、請求項１〜６のいずれか一項に記載の方法。
【請求項８】
前記不均一細胞集団と基材とを接触させる工程を含む、請求項１に記載の方法。
【請求項９】
前記基材がコーティングを含み、前記コーティングがＧＯＬ基材、ＧＥＬ基材、１又は複数の層のフィーダー細胞、及びそれらの任意の組み合せからなる群から選択される、請求項８に記載の方法。
【請求項１０】
前記基材の構成が、単層構成、二層構成、中間層構成（複数の場合がある）、及び逆位構成からなる群から選択される、請求項８に記載の方法。
【請求項１１】
前記標的細胞亜集団の前記メンバーを個別に単離及び培養することを更に含む、請求項１〜１０のいずれか一項に記載の方法。
【請求項１２】
前記標的細胞亜集団の前記メンバーを２週間を超えて細胞培養物として培養することを含む、請求項１〜１１のいずれか一項に記載の方法。
【請求項１３】
前記低酸素条件が１０％未満のＯ２レベルの下で培養することを含む、請求項１〜１２のいずれか一項に記載の方法。
【請求項１４】
前記陽圧条件が、１４．７ＰＳＩＡを超える加圧条件下で前記メンバーを培養することを含む、請求項１〜１３のいずれか一項に記載の方法。
【請求項１５】
前記条件が、細胞の表面張力を調節する化合物を含む細胞培養培地中で前記メンバーを培養することを含む、請求項１〜１４のいずれか一項に記載の方法。
【請求項１６】
前記化合物がＲｈｏキナーゼ阻害剤である、請求項１５に記載の方法。
【請求項１７】
前記化合物が
【化１】
2016514950.tif 000001
からなる群から選択される、請求項１５に記載の方法。
【請求項１８】
前記条件が、前記メンバーにおいて低酸素誘導因子の発現を増加する薬剤と共に前記メンバーを培養することを含む、請求項１〜１７のいずれか一項に記載の方法。
【請求項１９】
前記低酸素誘導因子が、低酸素誘導因子−１α（ＨＩＦ−１α）、低酸素誘導因子−１β（ＨＩＦ−１β）、低酸素誘導因子−２α（ＨＩＦ−２α）、低酸素誘導因子−２β（ＨＩＦ−２β）、低酸素誘導因子−３α（ＨＩＦ−３α）、低酸素誘導因子−３β（ＨＩＦ−３β）、又はそれらの任意の組み合せを含む、請求項１８に記載の方法。
【請求項２０】
前記低酸素誘導因子の発現を増加する薬剤がベクターを含み、前記ベクターが前記低酸素誘導因子をコードするポリヌクレオチドを含む、請求項１８〜１９のいずれか一項に記載の方法。
【請求項２１】
前記低酸素誘導因子が配列番号１に対して少なくとも７０％以上の相同性を含むアミノ酸配列を含む、請求項２０に記載の方法。
【請求項２２】
前記ポリヌクレオチドが配列番号２に対して少なくとも７０％以上の相同性又は相補性を含む、請求項２０に記載の方法。
【請求項２３】
前記同定が、
（ａ）前記メンバーの画像を得ること、及び
（ｂ）コンピュータ可読媒体を使用して前記メンバーが前記標的細胞亜集団に属すると自動的に分類すること、を含む、請求項１〜２２のいずれか一項に記載の方法。
【請求項２４】
前記コンピュータ可読媒体が前記標的亜集団の細胞の物理的特性に基づいたパラメーターを統合するように構成され、前記パラメーターが細胞の外形サイズ、細胞形状、細胞運動、細胞核サイズ、及び細胞分裂からなる群から選択される、請求項２３に記載の方法。
【請求項２５】
前記コンピュータ可読媒体が細胞の蛍光標識を検出するように構成される、請求項２３に記載の方法。
【請求項２６】
抗癌治療法を開発する方法であって、
（ａ）請求項１〜２５のいずれか一項に記載の方法を用いて、標的細胞亜集団を培養すること、
（ｂ）標的細胞亜集団と試験薬剤を接触させること、
（ｃ）標的細胞亜集団の生存能及び／又は成長をアッセイすること、および
（ｄ）標的細胞亜集団の生存能及び／又は成長が、試験薬剤と接触していない標的細胞亜集団と比較して減少される場合に、試験薬剤を抗癌治療法として選択すること
を含む方法。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
磁気共鳴イメージングシステム用の多素子送信コイルであって、前記多素子送信コイルは、
−  複数の表面コイル素子であって、各表面コイル素子はコイル回路を含み、各コイル回路は無線周波数センサを含み、前記無線周波数センサは電流センサ及び／又は電圧センサを含む、複数の表面コイル素子であって、
−    前記無線周波数センサの各々に、アナログ−デジタル変換器を備えた局部電力監視装置が直接接続され、
−    局部電力監視装置の各々は、そのアナログ−デジタル変換器に接続されたプロセッサを含み、
−    前記プロセッサの各々は、その無線周波数センサに接続された前記局部電力監視装置のアナログ−デジタル変換器を用いて接続されたそのコイル回路から無線周波数測定結果を受信し、前記局部電力監視装置の各々において、そのプロセッサは、その表面コイル素子に関する前記無線周波数測定結果から比吸収率データを生成する、複数の表面コイル素子と、
−  前記プロセッサに接続された光データ伝送システムであって、前記光データ伝送システムは、磁気共鳴イメージングシステムコントローラと接続し、前記光データ伝送システムは、前記プロセッサから前記磁気共鳴イメージングシステムコントローラへと前記比吸収率データを伝達する、光データ伝送システムと、
を含む、多素子送信コイル。
【請求項２】
前記局部電力監視装置と各無線周波数センサに接続された各アナログ−デジタル変換器とは、単一のハウジング内にあり、特に前記局電力監視装置は前記表面コイル素子に組み込まれている、請求項１に記載の多素子送信コイル。
【請求項３】
前記複数の表面コイル素子の各々は可撓性である、請求項１に記載の多素子送信コイル。
【請求項４】
前記複数の表面コイル素子の各々が剛性支持構造体に固定され、前記剛性支持構造体は被検者の一部を受容する、請求項１に記載の多素子送信コイル。
【請求項５】
前記複数のコイル素子の少なくとも一部が重なり合う又は前記複数の表面コイル素子は重なり合わない、請求項１乃至３のいずれか一項に記載の多素子送信コイル。
【請求項６】
前記プロセッサは、前記無線周波数測定結果及びルックアップテーブルを使用して前記複数の表面コイル素子の各々に関する比吸収率推定値を決定し、前記比吸収率データは、前記複数の表面コイル素子の各々に関する前記比吸収率推定値を含む、請求項１乃至５のいずれか一項に記載の多素子送信コイル。
【請求項７】
前記比吸収率データは、前記無線周波数測定結果を含む、請求項１乃至６のいずれか一項に記載の多素子送信コイル。
【請求項８】
前記無線周波数センサは、補償バタフライコイルである、請求項１乃至７のいずれか一項に記載の多素子送信コイル。
【請求項９】
前記無線周波数センサは、トロイダルピックアップコイルである、請求項１乃至７のいずれか一項に記載の多素子送信コイル。
【請求項１０】
前記無線周波数センサは、前記コイル回路中のコンデンサに統合される、請求項１乃至７のいずれか一項に記載の多素子送信コイル。
【請求項１１】
前記プロセッサは、フィールドプログラマブルゲートアレイである、請求項１乃至１０のいずれか一項に記載の多素子送信コイル。
【請求項１２】
前記多素子送信コイルは更に、磁気共鳴信号を受信する、請求項１乃至１１のいずれか一項に記載の多素子送信コイル。
【請求項１３】
磁気共鳴イメージングシステムコントローラを含む磁気共鳴イメージングシステムであって、前記磁気共鳴イメージングシステムコントローラは、請求項１乃至１２のいずれか一項に記載の多素子送信コイルの光データ伝送システムから比吸収率データを受信し、前記磁気共鳴イメージングシステムは、マルチチャネル無線周波数システムを含み、前記マルチチャネル無線周波数システムは、前記複数の表面コイル素子の各々に対して無線周波数電力を供給し、前記磁気共鳴イメージングシステムコントローラは、前記複数の表面コイル素子から選択されたある表面コイル素子に供給される無線周波数電力を、前記比吸収率が前記表面コイル素子に関する所定の値を超えることを前記比吸収率データが示す場合に下げるように前記マルチチャネル無線周波数システムを制御する、磁気共鳴イメージングシステム。
【請求項１４】
前記磁気共鳴イメージングシステムは、前記多素子送信コイルを含む、請求項１３に記載の磁気共鳴イメージングシステム。
【請求項１５】
請求項１乃至１１のいずれか一項に記載の多素子送信コイルの光データ伝送システムから比吸収率データを受信する磁気共鳴イメージングシステムコントローラによって実行される機械実行可能命令を含むコンピュータプログラムであって、前記磁気共鳴イメージングシステムは、マルチチャネル無線周波数システムを含み、前記マルチチャネル無線周波数システムは、前記複数の表面コイル素子の各々に対して無線周波数電力を供給し、前記命令の実行は、前記磁気共鳴イメージングシステムコントローラに、
−  前記光データ伝送システムから前記比吸収率データを受信させる、及び
−  前記複数の表面コイル素子から選択されたある表面コイル素子に供給される無線周波数電力を、前記比吸収率が前記表面コイル素子に関する所定の値を超えることを前記比吸収率データが示す場合に下げるように前記マルチチャネル無線周波数システムを制御させる、
コンピュータプログラム。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
被験者の血中酸素飽和度を決定するデバイスであって、当該デバイスは、
前記被験者の１つ以上の皮膚部分から放出又は反射された検出電磁放射線から導出されたデータストリームを受信するインターフェースであって、前記データストリームが、前記１つ以上の皮膚部分の複数の皮膚画素について皮膚画素あたりのデータ信号を含み、前記データ信号が、対応する皮膚画素から放出又は反射された前記検出電磁放射線を経時的に表す、前記インターフェースと、
フォトプレチスモグラフィを用い、前記複数の皮膚画素の前記データ信号に基づいて、前記複数の皮膚画素の血中酸素飽和度の変化を決定する分析器と、
血中酸素飽和度の最も速い変化を示す皮膚画素か、又は、血中酸素飽和度の最も遅い変化を示す皮膚画素以外の前記複数の皮膚画素を含む皮膚画素グループを選択する選択器と、
フォトプレチスモグラフィを用い、選択された前記皮膚画素グループの前記データ信号に基づいて、前記被験者の前記血中酸素飽和度を決定するプロセッサと、
を含む、デバイス。
【請求項２】
前記分析器は、前記複数の皮膚画素について、皮膚画素あたりの血中酸素飽和度信号を決定し、前記血中酸素飽和度信号に基づいて、前記複数の皮膚画素の血中酸素飽和度の変化を決定する、請求項１に記載のデバイス。
【請求項３】
前記プロセッサは、選択された前記皮膚画素グループの前記皮膚画素の前記血中酸素飽和度信号から、前記被験者の前記血中酸素飽和度を決定する、請求項２に記載のデバイス。
【請求項４】
前記プロセッサは、選択された前記皮膚画素グループの前記皮膚画素の前記血中酸素飽和度信号の平均値を求めることによって、前記被験者の前記血中酸素飽和度を決定する、請求項３に記載のデバイス。
【請求項５】
前記プロセッサは、平均データ信号を得るために、選択された前記皮膚画素グループの前記皮膚画素の前記データ信号の平均値を求め、前記平均データ信号から前記被験者の前記血中酸素飽和度を決定する、請求項１に記載のデバイス。
【請求項６】
前記選択器は、前記血中酸素飽和度の上限及び／又は下限を使用することによって、又は、前記皮膚画素グループとして選択される前記複数の皮膚画素のうちの皮膚画素の割合の閾値を使用することによって、前記皮膚画素グループを選択する、請求項１に記載のデバイス。
【請求項７】
前記選択器は、前記複数の皮膚画素の前記血中酸素飽和度の変化が、所定の最小閾値を下回る場合は、前記複数の皮膚画素のすべての皮膚画素を、前記皮膚画素グループとして選択する、請求項１に記載のデバイス。
【請求項８】
前記選択器は、所定イベントがない場合、具体的には、低酸素イベントがない場合、前記複数の皮膚画素のすべての皮膚画素を、前記皮膚画素グループとして選択する、請求項１に記載のデバイス。
【請求項９】
前記インターフェースは、前記所定イベントがあること及び／又はないことを示すイベント指示信号を受信する、請求項８に記載のデバイス。
【請求項１０】
前記分析器は、前記データ信号の１つ以上に基づいて、前記所定イベントがあるかないかを決定する、請求項８に記載のデバイス。
【請求項１１】
前記所定イベントがあること及び／又はないことを示すイベント指示信号を検知するイベントセンサを更に含む、請求項８に記載のデバイス。
【請求項１２】
前記インターフェースは、少なくとも２つのデータ信号成分を含むデータ信号を受信し、第１のデータ信号成分は、第１のスペクトル部分、特に可視光部分を表し、第２のデータ信号成分は、第２の指示スペクトル部分、特に赤外部分を表す、請求項１に記載のデバイス。
【請求項１３】
前記被験者から放出又は反射された電磁放射線を、特に２つの異なるスペクトル範囲において遠隔検出する、特にカメラである撮像ユニット、及び／又は、
前記被験者に対して、特に２つの異なるスペクトル範囲において電磁放射線を向かわせる、特に光源である放射線源と、を更に含む、請求項１に記載のデバイス。
【請求項１４】
被験者の血中酸素飽和度を決定する方法であって、当該方法は、
前記被験者の１つ以上の皮膚部分から放出又は反射された検出電磁放射線から導出されたデータストリームを受信するステップであって、前記データストリームは前記１つ以上の皮膚部分の複数の皮膚画素について、皮膚画素あたりのデータ信号を含み、前記データ信号は、対応する皮膚画素から放出又は反射された前記検出電磁放射線を経時的に表す、前記ステップと、
フォトプレチスモグラフィを用い、前記複数の皮膚画素の前記データ信号に基づいて、前記複数の皮膚画素の血中酸素飽和度の変化を決定するステップと、
血中酸素飽和度の最も速い変化を示す皮膚画素か、又は、血中酸素飽和度の最も遅い変化を示す皮膚画素以外の前記複数の皮膚画素を含む皮膚画素グループを選択するステップと、
フォトプレチスモグラフィを用い、選択された前記皮膚画素グループの前記データ信号に基づいて、前記被験者の前記血中酸素飽和度を決定するステップと、
を含む、方法。
【請求項１５】
コンピュータ上で実行されると、前記コンピュータに請求項１４に記載の方法のステップを実行させるプログラムコード手段を含むコンピュータプログラム。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
電力をシステムに提供するためのスイッチトモード電圧レギュレータであって、
前記電圧レギュレータの出力端子に結合されるセラミック誘電体キャパシタと、
前記電圧レギュレータの出力電圧を受信してその出力にフィードバック制御信号を生成するように結合されるフィードバック回路要素と、
前記システムにより必要とされる電流を示す負荷信号を前記システムから受信するように適合されるフィードフォワード回路要素であって、前記負荷信号に応答して前記負荷信号の変化の時間と大きさを表す制御信号を生成するように更に適合される、前記フィードフォワード回路要素と、
前記フィードフォワード回路要素から前記制御信号を受信して当該信号を前記フィードバック制御信号と組み合わせるように結合される加算ポイントであって、前記フィードバック制御信号に部分的に応答してそして前記フィードフォワード回路要素からの前記制御信号に部分的に応答して前記電圧レギュレータの出力電流を変えるように前記結果としての組み合わせ制御信号が前記電圧レギュレータに結合される、前記加算ポイントと、
を含み、
前記出力電圧におけるＡＣ遷移をゼロに駆動するように前記フィードフォワード回路要素からの前記制御信号の電圧が調節され、人間の可聴周波数範囲内の前記スイッチトモード電圧レギュレータにおける周波数変化によって生成される可聴ノイズが抑制される、電圧レギュレータ。
【請求項２】
請求項１に記載のスイッチトモード電圧レギュレータであって、
前記フィードフォワード回路要素からの前記制御信号が、前記負荷信号における電圧ステップの直後に生じる短い信号である、電圧レギュレータ。
【請求項３】
請求項２に記載のスイッチトモード電圧レギュレータであって、
前記フィードフォワード回路要素からの前記制御信号が、前記フィードバック制御信号に容量性結合される、電圧レギュレータ。
【請求項４】
請求項１に記載のスイッチトモード電圧レギュレータであって、
前記フィードフォワード回路要素が、前記システムへの電流の瞬時変化に応答して前記電圧レギュレータに前記電圧レギュレータの前記出力電流を瞬時に変えさせる、電圧レギュレータ。
【請求項５】
請求項１に記載のスイッチトモード電圧レギュレータであって、
前記負荷信号が周期的である、電圧レギュレータ。
【請求項６】
請求項１に記載のスイッチトモード電圧レギュレータであって、
前記フィードフォワード回路要素が、前記負荷信号がシステム電流における急激な変化を示した後の短い時間期間の間に、前記電圧レギュレータに前記電圧レギュレータの出力電流を変えさせる、電圧レギュレータ。
【請求項７】
請求項１に記載のスイッチトモード電圧レギュレータであって、
前記フィードフォワード回路要素が、前記フィードフォワード回路要素からの前記制御信号の大きさを判定するために前記電圧レギュレータの出力電圧上の遷移電圧を用いる、電圧レギュレータ。
【請求項８】
電力をシステムに提供するためのスイッチトモード電圧レギュレータであって、
少なくとも一つのスイッチと、
前記スイッチを制御するためのスイッチ制御回路要素と、
出力フィードバック回路要素と、
前記システムにより必要とされる電流を示す負荷信号を前記システムから受信して前記負荷信号の変化の時間と大きさとを表す制御信号を生成するように適合されるフィードフォワード回路要素であって、前記制御信号の電圧が前記電圧レギュレータの出力電圧におけるＡＣ遷移を駆動するように調節される、前記フィードフォワード回路要素と、
を含み、
前記スイッチ制御回路要素が前記フィードフォワード回路要素と前記出力フィードバック回路要素とにより制御され、人間の可聴周波数範囲内の前記電圧レギュレータにおける周波数変化によって生成される可聴ノイズが抑制される、電圧レギュレータ。
【請求項９】
請求項８に記載のスイッチトモード電圧レギュレータであって、
前記フィードフォワード回路要素が、前記負荷信号に応答して前記電圧レギュレータの出力電流を瞬時に変えるために前記スイッチ制御回路要素に信号を送信する、電圧レギュレータ。
【請求項１０】
請求項９に記載のスイッチトモード電圧レギュレータであって、
前記フィードフォワード回路要素から前記スイッチ制御回路要素への前記制御信号が、前記負荷信号における電圧におけるステップにすぐ続く短い電圧スパイクである、電圧レギュレータ。
【請求項１１】
請求項１０に記載のスイッチトモード電圧レギュレータであって、
前記フィードフォワード回路要素から前記スイッチ制御回路要素への前記制御信号が、前記出力フィードバック回路要素から前記スイッチ制御回路要素への信号に容量性結合される、電圧レギュレータ。
【請求項１２】
請求項９に記載のスイッチトモード電圧レギュレータであって、
前記フィードフォワード回路要素が、前記電圧レギュレータの出力電圧を受信し、前記フィードフォワード回路要素から前記スイッチ制御回路要素への前記制御信号の大きさを制御するために前記レギュレータの出力電圧上の遷移を用いる、電圧レギュレータ。
【請求項１３】
出力端子に結合されるセラミックフィルタキャパシタを有するスイッチトモード電圧レギィレータのための方法であって、
前記電圧レギュレータにより電力供給されるシステムから負荷信号を受信することと、
前記電圧レギュレータの出力電圧に応答してそして前記負荷信号に応答して前記電圧レギュレータの出力電流を制御することと、
を含み、
前記出力電流を制御することが、前記負荷信号に応答して前記電圧レギュレータの出力電流を生成する信号をフィードフォワード回路により生成することを含み、前記出力電流を制御する信号が前記負荷信号の変化の時間と大きさとを表し、
前記電圧レギュレータの出力電圧におけるＡＣ遷移をゼロに駆動するように前記フィードフォワード回路からの前記信号の電圧が調節され、人間の可聴周波数範囲内の前記電圧レギュレータにおける周波数変化によって生成される可聴ノイズが抑制される、方法。
【請求項１４】
請求項１３に記載の方法であって、
前記フィードフォワード回路からの前記信号を出力電圧フィードバック回路からの信号に容量性結合することを更に含む、方法。
【請求項１５】
請求項１７に記載の方法であって、
前記出力電流を制御するための前記信号のタイミングが前記負荷信号によって決まり、前記出力電流を制御するための前記信号の大きさが前記電圧レギュレータの前記出力電圧上の遷移によって決まるように、前記出力電流を制御するための前記信号が前記フィードフォワード回路により生成される、方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
イメージノイズ除去のための電子的な方法において、
前記方法は、
ＮＩＲイメージと可視光イメージとを含むイメージデータを受け取ることと、
前記ＮＩＲイメージ中のピクセルを、前記可視光イメージ中の対応するピクセルと位置調整することと、
前記ＮＩＲイメージ中の階調ベクトルと、前記可視光イメージ中の階調ベクトルとを決定することと、
前記ＮＩＲイメージ中の前記階調ベクトルと、前記可視光イメージ中の前記階調ベクトルとを比較して、ピクセル毎の第１の階調スケールマップ値を発生させることと、
前記ピクセル毎の第１の階調スケールマップ値に基づいて、第１の階調スケールマップを発生させることと、
前記第１の階調スケールマップを使用して、前記可視光イメージをノイズ除去して、第１のノイズ除去されたイメージを発生させることと、
前記第１のノイズ除去されたイメージ中の階調ベクトルを決定することと、
前記ＮＩＲイメージ中の前記階調ベクトルと、前記第１のノイズ除去されたイメージ中の前記階調ベクトルとを比較して、ピクセル毎の第２の階調スケールマップ値を発生させることと、
前記ピクセル毎の第２の階調スケールマップ値に基づいて、第２の階調スケールマップを発生させることと、
前記第２の階調スケールマップを使用して、前記第１のノイズ除去されたイメージをノイズ除去して、第２のノイズ除去されたイメージを発生させることとを含む方法。
【請求項２】
前記第１の階調スケールマップを使用して、前記可視光イメージをノイズ除去することは、ピクセル毎の第１の階調スケールマップ値を使用して、前記ＮＩＲイメージからノイズ除去ガイダンスのレベルを決定することをさらに含む請求項１記載の方法。
【請求項３】
前記第１の階調スケールマップを使用して、前記可視光イメージをノイズ除去することは、加重最小二乗平滑化技術を用いて、前記可視光イメージからノイズを取り除くことを含む請求項１記載の方法。
【請求項４】
前記ピクセル毎の第１の階調スケールマップ値は、前記ＮＩＲイメージ中の前記階調ベクトルと、前記可視光イメージ中の前記階調ベクトルとの間の差のレベルを表す請求項２記載の方法。
【請求項５】
前記第２のノイズ除去されたイメージ中の階調ベクトルを決定することと、
前記ＮＩＲイメージ中の前記階調ベクトルと、前記第２のノイズ除去されたイメージ中の前記階調ベクトルとから、追加の階調スケールマップを発生させることと、
前記第１の階調スケールマップと、前記追加の階調スケールマップとの間の差を計算することをさらに含む請求項１記載の方法。
【請求項６】
前記差としきい値とを比較することと、
前記差が前記しきい値よりも大きい場合、前記追加の階調スケールマップを使用して、前記第２のノイズ除去されたイメージをノイズ除去することか、または、前記差が前記しきい値よりも小さい場合、前記第２のノイズ除去されたイメージを最終イメージとして出力することとをさらに含む請求項５記載の方法。
【請求項７】
イメージングシステムにおいて、
ＮＩＲイメージを捕捉する手段と、
可視光イメージを捕捉する手段と、
前記ＮＩＲイメージ中の階調ベクトルと、前記可視光イメージ中の階調ベクトルとを決定する手段と、
前記ＮＩＲイメージ中の前記階調ベクトルと、前記可視光イメージ中の前記階調ベクトルとを比較して、ピクセル毎の第１の階調スケールマップ値を発生させる手段と、
前記ピクセル毎の第１の階調スケールマップ値に基づいて、第１の階調スケールマップを発生させる手段と、
前記第１の階調スケールマップを使用して、前記可視光イメージをノイズ除去して、第１のノイズ除去されたイメージを発生させる手段と、
前記第１のノイズ除去されたイメージ中の階調ベクトルを決定する手段と、
前記ＮＩＲイメージ中の前記階調ベクトルと、前記第１のノイズ除去されたイメージ中の前記階調ベクトルとを比較して、ピクセル毎の第２の階調スケールマップ値を発生させる手段と、
前記ピクセル毎の第２の階調スケールマップ値に基づいて、第２の階調スケールマップを発生させる手段と、
前記第２の階調スケールマップを使用して、前記第１のノイズ除去されたイメージをノイズ除去して、第２のノイズ除去されたイメージを発生させる手段とを具備するイメージングシステム。
【請求項８】
前記階調ベクトルを決定する手段と、前記第１の階調スケールマップを発生させる手段は、階調スケールマップモジュールを含む請求項７記載のイメージングシステム。
【請求項９】
前記ＮＩＲイメージを捕捉する手段は、ＮＩＲイメージセンサとＮＩＲフラッシュとを含み、前記ＮＩＲフラッシュは、赤外線波長のスペクトル中の光で、前記ＮＩＲイメージを照光するように好ましくは構成されている請求項７記載のイメージングシステム。
【請求項１０】
前記ＮＩＲイメージと前記可視光イメージとを位置調整する手段をさらに具備し、前記ＮＩＲイメージと前記ＮＩＲフラッシュとを位置調整する手段は、好ましくはイメージ位置調整モジュールを備える請求項７記載のイメージングシステム。
【請求項１１】
前記ＮＩＲイメージと前記可視光イメージとを位置調整する手段は、イメージ位置調整モジュールを備える請求項１０記載のイメージングシステム。
【請求項１２】
前記可視光イメージをノイズ除去する手段は、ノイズ除去モジュールを備える請求項７記載のイメージングシステム。
【請求項１３】
前記ノイズ除去モジュールは、加重最小二乗平滑化技術を用いることにより、前記第１の階調スケールマップを使用して、前記可視光イメージをノイズ除去することと、前記第２の階調スケールマップを使用して、前記第１のノイズ除去されたイメージをノイズ除去することと、のうちの１つまたは両方をするようにさらにプログラムされている請求項１２記載のイメージングシステム。
【請求項１４】
前記ノイズ除去モジュールは、前記ピクセル毎の第１の階調スケールマップ値を使用して、前記可視光イメージ中の各ピクセルに対して、前記ＮＩＲイメージからのノイズ除去ガイダンスの量を決定するようにさらにプログラムされ、および／または、
前記ノイズ除去モジュールは、現在の階調スケールマップと以前の階調スケールマップとの間の差が、しきい値を下回るまで、追加の階調スケールマップを発生させ続けるようにプログラムされ、および／または、
前記ノイズ除去モジュールは、現在の反復ノイズ除去されたイメージと以前の反復ノイズ除去されたイメージとの間の差が、しきい値を下回るまで、追加の階調スケールマップと、追加の反復ノイズ除去されたイメージとにより、ノイズ除去反復を継続するようにさらにプログラムされている請求項１２記載のイメージングシステム。
【請求項１５】
その上に記憶されている命令を有する、一時的でないコンピュータ読取可能記憶媒体において、
前記命令は、実行されたときに、請求項１〜６のうちのいずれか１項に記載の方法を実行する一時的でないコンピュータ読取可能記憶媒体。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
太陽エネルギー、風力エネルギー及び／又は水力エネルギーをソース電力に変換させるための第１のソースからの当該ソース電力を、負荷用の負荷電力に変換するデバイスであって、
前記第１のソースからの第１の直流電圧信号を、前記負荷用の第２の直流電圧信号に変換する第１のコンバータと、
前記第１のコンバータを制御する第１の装置であって、第１の制御電圧信号に応えて、前記第１のコンバータの前記第２の直流電圧信号を調整する、前記第１の装置と、
前記第１の制御電圧信号を提供する第１の回路と、
を含み、
前記第１の制御電圧信号は、最小値以上の振幅を有し、前記第１の制御電圧信号は、前記第１の直流電圧信号の振幅が前記最小値よりも小さい場合であっても、前記最小値以上の振幅を有する、デバイス。
【請求項２】
前記第１の制御電圧信号は、前記第１の直流電圧信号から全く導出されないか、又は前記第１の制御電圧信号は、前記第１の直流電圧信号から完全に比例した態様では導出されない、請求項１に記載のデバイス。
【請求項３】
前記振幅は、固定の振幅である、請求項１に記載のデバイス。
【請求項４】
前記第１の制御電圧信号は、閾値よりも小さい振幅を有する前記第１の直流電圧信号に対し、固定の振幅を有し、前記第１の制御電圧信号は、前記閾値よりも大きい振幅を有する前記第１の直流電圧信号に対し、前記第１の直流電圧信号の振幅に比例する振幅を有する、請求項１に記載のデバイス。
【請求項５】
前記第１の制御電圧信号は、前記第１の直流電圧信号の振幅に反比例する振幅を有する、請求項１に記載のデバイス。
【請求項６】
前記第１の制御電圧信号は、前記第１の直流電圧信号の振幅の二乗に比例する振幅を有する、請求項１に記載のデバイス。
【請求項７】
前記第１の装置と前記第１の回路との組み合わせは、相対的に小さい振幅を有する前記第１の直流電圧信号に対し、前記第１のコンバータの入力インピーダンスを増加させるために、前記第１のコンバータの周波数及び／又はターンオン時間を変更する、請求項１に記載のデバイス。
【請求項８】
前記第１の装置は、インターリーブされた境界伝導モード力率補正コントローラを含む、請求項１に記載のデバイス。
【請求項９】
前記第１の装置は更に、力率を調整する、請求項１に記載のデバイス。
【請求項１０】
第２のソースからの第１の交流電圧信号を、第３の直流電圧信号に変換する第２のコンバータと、
前記第２のコンバータを制御する第２の装置であって、前記第２のコンバータの前記第３の直流電圧信号を調整する、前記第２の装置と、
前記第２の直流電圧信号と前記第３の直流電圧信号とを、前記負荷用の負荷信号に組み合わせる第２の回路と、
を更に含む、請求項１に記載のデバイス。
【請求項１１】
信号のパラメータを検出し、検出結果に応えて、第２の制御電圧信号を前記第２の装置に提供する検出器を更に含む、請求項１０に記載のデバイス。
【請求項１２】
請求項１に記載のデバイスを含み、前記第１のソース及び／又は前記負荷を更に含む、システム。
【請求項１３】
太陽エネルギー、風力エネルギー及び／又は水力エネルギーをソース電力に変換させるための第１のソースからの当該ソース電力を、負荷用の負荷電力に変換するデバイスの方法であって、前記デバイスは、前記第１のソースからの第１の直流電圧信号を、前記負荷用の第２の直流電圧信号に変換する第１のコンバータと、前記第１のコンバータを制御する第１の装置であって、第１の制御電圧信号に応えて、前記第１のコンバータの前記第２の直流電圧信号を調整する、前記第１の装置と、を含み、
前記方法は、
最小値以上の振幅を有する前記第１の制御電圧信号を提供するステップであって、前記第１の制御電圧信号は、前記第１の直流電圧信号の振幅が前記最小値よりも小さい場合であっても、前記最小値以上の振幅を有する当該ステップを含む、方法。
【請求項１４】
コンピュータ上で実行されると、請求項１３に記載の方法のステップを行う、コンピュータプログラム。
【請求項１５】
請求項１４に記載のコンピュータプログラムを記憶して含む、媒体。
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいて装置を動作させる方法であって、
複数のリソースインデックスおよび対応するプリアンブルシグネチャシーケンス、ならびに使用可能である確率を含むデータベースを作成するステップであって、前記リソースインデックスが、使用可能として最初にマークされ、かつ複数のアップリンクトランスポートチャネルリソースに対応する、ステップと、
前記リソースインデックスのうちの第1のインデックスを選択するステップと、
前記第1のインデックスに対応する前記プリアンブルシグネチャシーケンスのうちの第1のプリアンブルシグネチャシーケンスを選択するステップと、
前記第1のプリアンブルシグネチャシーケンスを利用するプリアンブルを送信することによって、ランダムアクセスチャネル(RACH)手順を開始するステップと、
前記プリアンブルについて否定応答を受信したことに関連して、後続のRACH手順について前記第1のインデックスをより低い確率でマークするステップと、
前記第1のインデックスの確率よりも高い確率を有する、前記リソースインデックスのうちの第2のインデックスを選択するステップと、
前記プリアンブルについて肯定応答が前記ワイヤレス通信ネットワークから受信されなかった場合、前記データベース中で前記第1のインデックスを使用不可能としてマークするステップと
を含む、方法。
【請求項２】
前記アップリンクトランスポートチャネルリソースが、複数の拡張専用チャネル(E-DCH)リソースを含む、請求項1に記載の方法。
【請求項３】
前記データベースが、前記リソースインデックスの中で、使用可能としてマークされた少なくとも1つのインデックスを含む場合、前記少なくとも1つの使用可能なインデックスのうちの第2のインデックスを選択するステップと、
前記第2のインデックスに対応する前記プリアンブルシグネチャシーケンスのうちの第2のプリアンブルシグネチャシーケンスを選択するステップと、
前記第2のプリアンブルシグネチャシーケンスを利用するプリアンブルを送信するステップと
をさらに含む、請求項1に記載の方法。
【請求項４】
前記データベースが、前記リソースインデックスの中で、使用可能としてマークされたインデックスを含まない場合、前記リソースインデックスのすべてを使用可能としてマークするステップをさらに含む、請求項1に記載の方法。
【請求項５】
前記プリアンブルについて否定応答を受信するステップと、
前記RACH手順のバックオフ手順を実行するステップと
をさらに含む、請求項1に記載の方法。
【請求項６】
前記第1のインデックスを選択する前記ステップが、前記リソースインデックスの中から、使用可能としてマークされたインデックスをランダムに選択するステップを含む、請求項1に記載の方法。
【請求項７】
ワイヤレス通信のための装置であって、
複数のリソースインデックスおよび対応するプリアンブルシグネチャシーケンス、ならびに使用可能である確率を含むデータベースを作成するための手段であって、前記リソースインデックスが、使用可能として最初にマークされ、かつ複数のアップリンクトランスポートチャネルリソースに対応する、手段と、
前記リソースインデックスのうちの第1のインデックスを選択するための手段と、
前記第1のインデックスに対応する前記プリアンブルシグネチャシーケンスのうちの第1のプリアンブルシグネチャシーケンスを選択するための手段と、
前記第1のプリアンブルシグネチャシーケンスを利用するプリアンブルを送信することによって、ランダムアクセスチャネル(RACH)手順を開始するための手段と、
前記プリアンブルについて否定応答を受信したことに関連して、後続のRACH手順について前記第1のインデックスをより低い確率でマークするための手段と、
前記第1のインデックスの確率よりも高い確率を有する、前記リソースインデックスのうちの第2のインデックスを選択するための手段と、
前記プリアンブルについて肯定応答が受信されなかった場合、前記データベース中で前記第1のインデックスを使用不可能としてマークするための手段と
を備える、装置。
【請求項８】
前記アップリンクトランスポートチャネルリソースが、複数の拡張専用チャネル(E-DCH)リソースを含む、請求項7に記載の装置。
【請求項９】
前記データベースが、前記リソースインデックスの中で、使用可能としてマークされた少なくとも1つのインデックスを含む場合、前記少なくとも1つの使用可能なインデックスのうちの第2のインデックスを選択するための手段と、
前記第2のインデックスに対応する前記プリアンブルシグネチャシーケンスのうちの第2のプリアンブルシグネチャシーケンスを選択するための手段と、
前記第2のプリアンブルシグネチャシーケンスを利用するプリアンブルを送信するための手段と
をさらに備える、請求項7に記載の装置。
【請求項１０】
前記データベースが、前記リソースインデックスの中で、使用可能としてマークされたインデックスを含まない場合、前記リソースインデックスのすべてを使用可能としてマークするための手段をさらに備える、請求項7に記載の装置。
【請求項１１】
前記プリアンブルについて否定応答を受信するための手段と、
前記RACH手順のバックオフ手順を実行するための手段と
をさらに備える、請求項7に記載の装置。
【請求項１２】
前記第1のインデックスを選択するための前記手段が、前記リソースインデックスの中から、使用可能としてマークされたインデックスをランダムに選択するための手段を備える、請求項7に記載の装置。
【請求項１３】
ユーザ機器(UE)に、請求項1〜6のいずれか一項に記載の方法を実施させるためのコードを含む、コンピュータ可読記憶媒体。